(57)【要約】      （修正有）【課題】生体組織に対する検査を安定化することができる採取パーツを備える生体組織採取具を提供する。【解決手段】生体組織採取具１００の採取パーツ１は、長形状であり、把持体２に取り付けられる。採取パーツ１は、一端側に生体組織をかきとる採取部３と、他端側に把持体２へ装着される装着部と、装着部と採取部３との間に設けられ採取部３を変位させるための操作部５と、操作部５と装着部との間に設けられ少なくとも操作部５の押圧方向に沿った上下方向に変形容易に形成した変形容易部６と、を備える。【選択図】図３
2015137993.tif 000002
【特許請求の範囲】
【請求項１】
長形状であり、把持体に取り付けられる採取パーツであって、
一端側に生体組織をかきとる採取部と、
他端側に前記把持体へ装着される装着部と、
前記装着部と前記採取部との間に設けられ、前記採取部を変位させるための操作部と、
前記操作部と前記装着部との間に設けられ、少なくとも前記操作部の押圧方向に沿った上下方向に変形容易に形成した変形容易部と、
を備える、採取パーツ。
【請求項２】
前記操作部は更に、前記採取部を前記装着部側に変位させる、
請求項１に記載の採取パーツ。
【請求項３】
前記採取部と前記操作部との間には、前記採取部及び前記操作部よりも下方に位置する第１の下位部が形成され、
前記操作部は、前記採取部より下方に位置し、前記下位部より上方に突出するように形成されている、
請求項１または２に記載の採取パーツ。
【請求項４】
前記変形容易部は、前記第１の下位部よりも下方に位置する第２の下位部を有する、
請求項３に記載の採取パーツ。
【請求項５】
前記変形容易部は、前記操作部の装着部側の肉厚を他の部分より薄くすることによって形成された、
請求項１から４のいずれか一つに記載の採取パーツ。
【請求項６】
前記採取部、前記操作部、及び前記変形容易部は、樹脂により一体に成形された、
請求項１から５のいずれか一つに記載の採取パーツ。
【請求項７】
前記採取部は、鼻孔内の生体組織を採取するように形成されている、
請求項１から６のいずれか一つに記載の採取パーツ。
【請求項８】
請求項１から７のいずれか一つに記載の採取パーツと、
前記装着部が装着される被装着部を有する把持体と、
を備え、
前記把持体は、前記採取パーツを前記採取パーツの長手方向に移動させる弾性体を有する、
生体組織採取具。
【請求項９】
前記把持体の横断面は、断面重心から所定の距離を有する第１の領域と、前記断面重心からの距離が前記所定の距離よりも短い第２の領域と、を有する、
請求項８に記載の生体組織採取具。
【請求項１０】
前記把持体は、その横断面のほぼ断面重心の位置に、前記被装着部を設けた、
請求項８または９に記載の生体組織採取具。
【請求項１１】
前記採取パーツの採取部は、前記把持体の横断面の断面重心よりも高い位置に設けた、請求項８から１０のいずれか一つに記載の生体組織採取具。
【請求項１２】
前記把持体は、前記採取パーツよりも重くなるように形成されている、
請求項８から１１のいずれか一つに記載の生体組織採取具。
【請求項１３】
前記採取パーツは、鼻孔内の生体組織を採取するように形成されている、
請求項８から１２のいずれか一つに記載の生体組織採取具。
【発明の詳細な説明】
【技術分野】
【０００１】
本発明は、生体組織を採取する採取具に関するものであり、特に口腔や鼻孔のような体内孔に挿入する採取具に関するものである。
【背景技術】
【０００２】
生体組織採取具として一般的に用いられているものは、綿棒等がある。例えば、インフルエンザの検査キットのようなインフルエンザの簡易検査を行うような装置においても、体内孔の一例である鼻孔内の粘膜を採取するために、綿棒が用いられている（例えば、特許文献１）。
【先行技術文献】
【特許文献】
【０００３】
【特許文献１】特開２００１−２８９８４４号公報
【発明の概要】
【発明が解決しようとする課題】
【０００４】
上記の従来例における課題は、生体組織に対する検査が不安定になることであった。
すなわち、綿棒による採取は、生体組織を綿棒に付着させることによって採取しようとするものであるため、生体組織の採取量が少ない。よって、このように少ない量の生体組織を用いた検査は、不安定なものになってしまうのであった。
そこで、本発明は、生体組織に対する検査を安定化することができるようにすることを目的とする。
【課題を解決するための手段】
【０００５】
そしてこの目的を達成するため、本発明の一つの観点にかかる採取パーツは、長形状であり、把持体に取り付けられる採取パーツであって、一端側に生体組織をかきとる採取部と、他端側に把持体へ装着される装着部と、装着部と採取部との間に設けられ採取部を変位させるための操作部と、操作部と装着部との間に設けられ少なくとも操作部の押圧方向に沿った上下方向に変形容易に形成した変形容易部と、を備える。
これにより所期の目的を達成するものである。
【発明の効果】
【０００６】
以上のように本発明の一つの観点にかかる採取パーツは、長形状であり、把持体に取り付けられる採取パーツであって、一端側に生体組織をかきとる採取部と、他端側に把持体へ装着される装着部と、装着部と採取部との間に設けられ採取部を変位させるための操作部と、操作部と装着部との間に設けられ少なくとも操作部の押圧方向に沿った上下方向に変形容易に形成した変形容易部と、を備えたので、生体組織に対する検査を安定化することができる。
【０００７】
すなわち、本発明の一つの観点かかる採取パーツは、採取部が生体組織を採取する際にかかる応力は、操作部の後方に設けた変形容易部に発生する応力によるものとなるので、採取部にかかる応力の作用点は、変形容易部となる。よって、使用者は操作部において、この応力をコントロールすることが容易となる。この結果、生体組織の採取を定量に、しかも、十分な採取をすることが可能となり、生体組織に対する検査を安定化することができるのである。
【図面の簡単な説明】
【０００８】
【図１】本発明の一実施形態に係る生体組織採取具を示す斜視図
【図２】同生体組織採取具の主要部を示す側面図
【図３】同生体組織採取具を示す上面図と横断面図
【図４】同生体組織採取具の使用例を示す斜視図
【図５】同生体組織採取具の使用例を示す斜視図
【図６】同生体組織採取具を示す上面図
【図７】同生体組織採取具の一部の横断面図
【図８】同生体組織採取具の一部の拡大図
【発明を実施するための形態】
【０００９】
以下に、本発明の一実施の形態を、鼻孔内の生体組織（生体組織の一例）を採取する採取具に適用したものを、図面とともに詳細に説明する。
（実施の形態１）
[１−１．構成]
図１において示されるように、本実施形態の生体組織採取具１００（採取具の一例）は、採取パーツ１（採取パーツの一例）と、採取パーツ１の後端側に装着される把持体２（把持体の一例）、とを備える構成となっている。
【００１０】
図２に採取パーツ１の側面図を示す。
採取パーツ１は、長形状であり、その先端側に生体組織をかきとる採取部３（採取部の一例）が設けられ、後端側に把持体２への装着をするための装着部４（装着部の一例）が設けられている。
装着部４と採取部３との間には、採取部３を後方（装着部４方向）へ引き操作を行うための操作部５（操作部の一例）が設けられている。
【００１１】
この採取パーツ１は、その前方側における採取部３が後方側の操作部５よりも上側に位置するよう形成されている。具体的には、採取パーツ１は、採取部３側が上方（図２の上方向）に持ち上げられ、操作部５側を下方（図２の下方向）に引き下げられた形状で構成され、この引き下がった部分から上方に突出した操作部５が連結された構成となっている。
【００１２】
採取部３側が上方に持ち上げられていることによって、鼻孔内の採取部３が把持体２を保持する手で隠れることを防止できるので、採取部３が生体組織に正確に当たっているか否かについて、視認性が向上する。
この操作部５と装着部４の間には、変形容易部６（変形容易部の一例）が設けられている。この変形容易部６は、長手方向に直交する方向であって図２における上下方向（以下、単に上下方向と称する）に変形容易となっている。変形容易部６は、前方に設けられた採取パーツ１の他の部分と比較して、上下方向の厚みが薄くなるように構成されている。より具体的には、変形容易部６は、操作部５の装着部４側の下位点９の肉厚を薄くするように構成しているので、採取パーツ１の上下方向に変形容易となるのである。
【００１３】
この変形容易部６の装着部４側の下位点９の上下方向における高さは、操作部５の採取部３側の下位点１０と比較して、低くなるように構成されている。これにより、操作部５の採取部３側の下位点１０は、図１の把持体２に対して、図２の矢印で示すように上下方向に空間が確保できる。このため、使用者が操作部５に指を押し当てた場合に、下位点１０は把持体２に接触しない。この結果、変形容易部６は採取パーツ１が上下方向に変形するための支点となるので、採取部３に力が加わった場合に、操作部５は上下に移動可能となるのである。
【００１４】
また、操作部５の採取部３側の下位点１０は、図１に把持体２に対して、上下方向に空間が確保できるので、下位点１０が把持体２と接触していない。よって、使用者が操作部５に指で力を下方向に加えた場合に、操作部５の下位点１０が把持体２と接触するまで、採取部３の先端を下方向に移動可能に構成することができるのである。
これら採取部３、操作部５、変形容易部６よりなる採取パーツ１は、樹脂により一体に成型されている。
【００１５】
採取パーツ１の後端には、装着部４が設けられている。この装着部４は、図１に示すように、把持体２の開口に設けた被装着部７（被装着部の一例）に挿入され、装着される。
図３（ａ）に生体組織採取具１００の上面図、図３（ｂ）に生体組織採取具の横断面図を示す。
把持体２は、採取パーツ１を前後方向に移動可能にする弾性体としてのコイルバネ８（弾性体の一例）を有する構成となっている。
【００１６】
［１−２．作用］
以上のような構成を有する生体組織採取具１００は次のように操作される。図４に示すごとく、使用者は、操作部５に指をあて、採取パーツ１を前方に移動させた状態にするとともに、指からの力で変形容易部６を長手方向に直交する方向であって図４の上下方向に変形可能な状態で保持する。この状態において、使用者は、変形容易部６からの応力を指で感じることが可能となる。この応力は、採取パーツ１の前後方向の位置に関わらず、常に変形容易部６を支点とする応力となる。よって、使用者は、鼻孔内から検体を採取する際には、採取パーツ１の先端に設けた採取部３にかかる力を安定して指で感じ取ることが可能となる。
【００１７】
そして、図５に示すように、使用者は、採取部３にかかる力を指で感じながら、採取パーツ１を後方に移動させ、採取部３の引き込み操作をする。このため、採取部３から生体組織に対する押圧力を常に安定に保つこととなるので、生体組織の採取を定量にし、しかも、十分な量を採取することが可能となる。この結果、生体組織に対する検査を安定化させることができるのである。
【００１８】
つまり、使用者は、操作部５に指を当てて、採取部３にかかる力を指で感じながら、採取パーツ１を後方に移動させるだけの簡単な操作を行うだけで、採取部３から鼻孔内の生体組織にかかる力を制御可能であり、その力を安定に保った状態で、採取部３の引き込み動作を可能とする。このため、生体組織の採取を定量にし、しかも、十分な量を採取することが可能となり、生体組織に対する検査を安定化することができるのである。
【００１９】
［１−３．その他の構成］
［１−３−１．把持体２］
図６は、生体組織採取具１００の上面図、図７は、図６のＡ−Ａ’断面としての把持体２の断面図を示す。
図７に示すように、把持体２の横断面形状は、上方（図７の上側）を頂点１１とし、下方（図７の下側）を底辺１２とした、ほぼ２等辺三角形の形状をしている。頂点１１における角は、底辺１２の両端の角よりも小さな形状となっている。
【００２０】
また、把持体２は、横断面のほぼ断面重心１３の位置に、被装着部７を設けた構成となっている。このような構成にすることにより、底辺１２側に重心が設けられるので、生体組織採取具１００を机等に置く場合には、底辺１２側を机の面にして設置することにより安定した状態となる。また、把持体２は、横断面形状の外郭線が、ほぼ２等辺三角形の形状となっているので、断面重心１３からの距離が相対的に長くなる頂点１１付近の第１の領域１４と、断面重心１３からの距離が相対的に短くなる、底辺１２側の第２の領域１５と、を有する構成となる。このため、生体組織採取具１００を、底辺１２を下側として検査机等に置いても、転がり抵抗が大きいので、安定した状態で置くことができるのである。
【００２１】
また、採取パーツ１の採取部３は、図２に示すように、把持体２に装着される高さよりも、上方（図２の上側）に位置するように構成されている。すなわち、採取部３は、把持体２の横断面の断面重心１３よりも高い位置に設けているので、生体組織採取具１００を置く場合にも、検査机等よりも高い位置になり、採取部分が誤って、検査机等に接触することを防ぐことができる。
【００２２】
更に、生体組織採取具１００は、変形容易部６を中心として、把持体２で構成される後方側が、採取パーツ１で構成される前方側より重くなるように構成されている。このため、生体組織採取具１００の採取部３が、誤って検査机等に接触することを防ぐことができるのである。
【００２３】
［１−３−２．採取部３］
図８に図６のＢ部の拡大図を示す。採取部３には、切断を容易にする切り欠き１６が設けられている。生体組織を採取した後、採取部３をこの切り欠き１６から切断することにより、採取パーツ１から検体を容易に分離することが可能となるので、使い勝手がよくなる。
【００２４】
［１−４．特徴等］
以上のように本実施の形態に係る生体組織採取具１００の採取パーツ１は、長形状で、その先端側に生体組織をかきとる採取部３と、後端側に生体組織採取具１００への装着をするための装着部４と、装着部４と採取部３との間に採取部３の操作を行うための操作部５と、この操作部５と装着部４の間に設けられるとともに、採取パーツ１の長手方向に直交する方向に変形容易に設けた変形容易部６と、を備えたので、生体組織に対する検査を安定化することができる。
【００２５】
すなわち、本実施の形態においては、採取部３が生体組織を採取する際にかかる応力は、操作部５の後方に設けた変形容易部６に発生する応力によるものとなるので、採取部３にかかる応力の作用点は、常に変形容易部６となるので、操作部５において、この応力をコントロールすることが容易となる。
更に、生体組織採取具１００は、採取部３により生体組織を採取した状態において、操作部５による採取部３の引き込み操作をすることが可能な構成であるので、生体組織の採取を定量に、しかも、十分な採取をすることが可能となり、生体組織に対する検査を安定化することができるのである。
【産業上の利用可能性】
【００２６】
本発明は、口腔や鼻孔粘膜等の生体組織を採取する生体組織採取具等として、利用が可能である。
【符号の説明】
【００２７】
１  採取パーツ
２  把持体
３  採取部
４  装着部
５  操作部
６  変形容易部
７  被装着部
８  コイルばね
９  下位点
１０  下位点
１１  頂点
１２  底辺
１３  断面重心
１４  第１の領域
１５  第２の領域
１６  切り欠き
１００  生体組織採取具
【図１】
2015137993.tif 000003
【図２】
2015137993.tif 000004
【図３】
2015137993.tif 000005
【図４】
2015137993.tif 000006
【図５】
2015137993.tif 000007
【図６】
2015137993.tif 000008
【図７】
2015137993.tif 000009
【図８】
2015137993.tif 000010